(57)【特許請求の範囲】
【請求項１】
窓枠などの建物の内外適所に固着する取付ベースと、人体検知センサ、電池、警報手段を内蔵した本体ケースと、この本体ケースに一体的に組み込まれ、人体検知センサの窓孔部を形成した本体カバーとを備えた簡易設置型防犯センサにおいて、上記警報手段は、本体ケースの内面に実装される電子ブザーを有しており、上記本体ケースの電子ブザーを実装した部分と、上記本体カバーの音孔を形成した部分との間には、電子ブザーを包囲する上端を開口させた包囲部材が介装され、前記包囲部材は、上記音孔の内面側に立設された嵌合凸枠に内嵌され、且つ、この嵌合凸枠との間には、防水シートを挟み込んで設けて成る簡易設置型防犯センサ。
【請求項２】
窓枠などの建物の内外適所に固着する取付ベースと、取付ベースに一体的に組み込まれ、人体検知センサ、電池、警報手段、制御回路を内蔵し、人体検知センサの窓孔部を形成した本体ケースとを備えた簡易設置型防犯センサにおいて、上記警報手段は、本体ケースの内面に実装される電子ブザーを有しており、上記本体ケースの電子ブザーを実装した部分と、上記本体カバーの音孔を形成した部分との間には、電子ブザーを包囲する上端を開口させた包囲部材が介装され、前記包囲部材は、上記音孔の内面側に立設された嵌合凸枠に内嵌され、且つ、この嵌合凸枠との間には、防水シートを挟み込んで設けて成る簡易設置型防犯センサ。
【請求項３】
請求項１又は２の何れかにおいて、上記包囲部材は、上記本体ベースの電子ブザーを実装した部分と、本体カバーの音孔を形成した部分に設けた嵌合凸枠との間に、挟み込み固定される構造にしている簡易設置型防犯センサ。
【請求項４】
請求項１又は２の何れかにおいて、上記包囲部材は、上記本体ベースの電子ブザーを実装した部分に、電子ブザーの上方から本体ベースに固着される構造にしている簡易設置型防犯センサ。
【請求項５】
請求項１又は２の何れかにおいて、上記本体カバーの音孔を形成した部分には、本体ケース側に突出する支持凸部を設けており、上記包囲部材の開口に被せられ、包囲部材と本体カバーとの間に挟み固定される防水シートの中央部を、上記支持凸部によって持ち上げ支持する構造にしている簡易設置型防犯センサ。
【発明の詳細な説明】
【０００１】
【発明の属する技術分野】
本発明は、住宅の窓枠などに設置される簡易設置型防犯センサに関する。
【０００２】
【従来の技術】
図４は、従来の簡易設置型防犯センサの要部を拡大した部分縦断面図である。
【０００３】
従来の簡易設置型防犯センサ１００は、屋内外の窓枠などに固定する取付ベース１０１と、人体検知センサ、電池、警報手段を内蔵した本体ケース１０２と、この本体ケース１０２に一体的に組み込まれ、人体検知センサの化粧カバーを装着する窓孔部を形成した本体カバー１０３とを備えている。
【０００４】
上記警報手段は、本体ケース１０２内の基板１２２に電子ブザー１３２を実装しており、人体検知センサが検知した際に、制御手段を介して電子ブザー１３２を鳴動するものである。
【０００５】
この電子ブザー１３２は、その表面に防水シート１４２を被せ、これを本体カバー１０３の音孔１１３を形成した部分に設けた押えリブ１２３で包囲されていた。
【０００６】
【発明が解決しようとする課題】
しかし、電子ブザー１３２の表面に防水シート１４２が直接被覆されていると、この電子ブザー１３２が鳴動した際に、防水シート１４２が共鳴し難くなり、その結果、電子ブザー１３２の音量が小さく、警報音が聞こえ難いという問題があった。
【０００７】
本発明は、かかる課題を解決することを目的とするもので、電子ブザーの音量を大きくでき、警報音の聞こえ易い簡易設置型防犯センサを提供する。
【０００８】
【課題を解決するための手段】
上記目的を達成するため、請求項１係る簡易設置型防犯センサは、窓枠などの建物の内外適所に固着する取付ベースと、人体検知センサ、電池、警報手段を内蔵した本体ケースと、この本体ケースに一体的に組み込まれ、人体検知センサの窓孔部を形成した本体カバーとを備えた簡易設置型防犯センサにおいて、上記警報手段は、本体ケースの内面に実装される電子ブザーを有しており、上記本体ケースの電子ブザーを実装した部分と、上記本体カバーの音孔を形成した部分との間には、電子ブザーを包囲する上端を開口させた包囲部材が介装され、前記包囲部材は、上記音孔の内面側に立設された嵌合凸枠に内嵌され、且つ、この嵌合凸枠との間には、防水シートを挟み込んで設けて成る。
【０００９】
請求項１では、包囲部材を介装させているため、包囲部材内に共鳴空間部が形成され、ブザーの音量を大きくできる。
【００１０】
請求項２に係る簡易設置型防犯センサは、窓枠などの建物の内外適所に固着する取付ベースと、取付ベースに一体的に組み込まれ、人体検知センサ、電池、警報手段、制御回路を内蔵し、人体検知センサの窓孔部を形成した本体ケースとを備えた簡易設置型防犯センサにおいて、上記警報手段は、本体ケースの内面に実装される電子ブザーを有しており、上記本体ケースの電子ブザーを実装した部分と、上記本体カバーの音孔を形成した部分との間には、電子ブザーを包囲する上端を開口させた包囲部材が介装され、前記包囲部材は、上記音孔の内面側に立設された嵌合凸枠に内嵌され、且つ、この嵌合凸枠との間には、防水シートを挟み込んで設けて成る。
【００１１】
請求項２では、本体ケースは、本体カバーが一体化して組み合わされており、このような本体ケースと取付ベースとに包囲部材を介装させているため、包囲部材内に共鳴空間部が形成され、ブザーの音量を大きくできる。
【００１２】
請求項３に係る簡易設置型防犯センサは、請求項１又は２の何れかにおいて、上記包囲部材は、上記本体ベースの電子ブザーを実装した部分と、本体カバーの音孔を形成した部分に設けた嵌合凸枠との間に、挟み込み固定される構造にしている。
【００１３】
請求項３では、包囲部材を着脱可能にできると共に、本体カバーの嵌合凸枠に嵌り込んで位置ずれを防止できる。
【００１４】
請求項４に係る簡易設置型防犯センサは、請求項１又は２の何れかにおいて、上記包囲部材は、上記本体ベースの電子ブザーを実装した部分に、電子ブザーの上方から本体ベースに固着される構造にしている。
【００１５】
請求項４では、本体ベースに予め包囲部材を固着するため、位置ズレが生じない。
【００１６】
請求項５に係る簡易設置型防犯センサは、請求項１又は２の何れかにおいて、上記本体カバーの音孔を形成した部分には、本体ケース側に突出する支持凸部を設けており、上記包囲部材の開口に被せられ、包囲部材と本体カバーとの間に挟み固定される防水シートの中央部を、上記支持凸部によって持ち上げ支持する構造にしている。
【００１７】
請求項５では、支持凸部を設けることで、防水シートが弧状に撓んだ状態で挟み固定される。
【００１８】
そのため、防水シートの張りを弛めることができ、ブザーの音が伝わり易く、電子ブザーの音量をより大きくできる。
【００１９】
【発明の実施の形態】
以下、本発明に係る簡易設置型防犯センサを図面に基づき説明する。
【００２０】
図１は、本発明に係る簡易設置型防犯センサの要部を示す部分拡大断面図である。
【００２１】
この簡易設置型防犯センサＳは、屋内外の窓枠などに固定する取付ベース１と、人体検知センサ、電池、警報手段を内蔵した本体ケース２と、この本体ケース２に一体的に組み込まれ、人体検知センサの窓孔部３１を形成した本体カバー３とを備えている。
【００２２】
上記取付ベース１は、その背面及び上面に複数のネジ孔１１を形成し、このネジ孔１１に木ネジを挿通して軒下などの屋根側に固定できる。
【００２３】
このネジ孔１１は、取付ベース１を固定する軒下などの状態に応じて適宜採択され、例えば、取付ベース１を軒下などの天面に固定する場合には、上面のネジ孔１１に木ネジを挿通して固定でき、一方、壁面に固定する場合には、背面のネジ孔１１の木ネジを挿通して固定できる。
【００２４】
また、取付ベース１の背面外側及び上面外側に剥離紙を備えた両面テープを貼着しておき、この剥離紙を外して取付ベース１を軒下などに固着することもできる。
【００２５】
また、取付ベース１の背面内側には、その上下方向を示す表示部を刻設或いは印刷しておけば、取付ベース１の上下方向を誤ることなく確実に固定できる。
【００２６】
本体ケース２は、下方に開放した箱状であって、その内部には、基板などの本体ベース２１を設け、これに温度変化を検出する人体検知センサ、その電源である電池、センサを検出して警報する警報手段としての電子ブザー４などを実装して内蔵している。
【００２７】
また、上記人体検知センサは、その検知感度を切換スイッチで調節可能にしているが、床面、地面から離れ過ぎると感度は弱くなるので、床面等から１．８〜２．２ｍ程度に取り付けることが望ましい。
【００２８】
なお、上記電池には、リチウム電池を１個使用している。
【００２９】
本体カバー３は、本体ケース２の開放面を閉止するように形成され、その略中央には、人体検知センサの化粧カバーが嵌り込む窓孔部３１を開設している。
【００３０】
また、本体カバー３には、電子ブザー４の警報音を鳴動する音孔３２を形成しており、  この音孔３２の内面側には、リング状の嵌合凸枠３３を立設している。
【００３１】
５は、上下に開放した筒状の包囲部材である。
【００３２】
包囲部材５は、上端内壁が電子ブザー４を略嵌合するように形成すると共に、その下端外壁を本体カバー３の嵌合凸枠３３に内嵌するように形成している。
【００３３】
また、包囲部材５の内壁は、本体カバー３側を厚肉に形成し、電子ブザー４の音の流れをスムーズにしている。
【００３４】
この包囲部材５と、本体カバー３の嵌合凸枠３３との間に、防水シート６を設け電子ブザー４を防水している。
【００３５】
また、防水シート６は、本体カバー３の音孔３２内面に接着剤などで張り付けておくこともできる。
【００３６】
このように構成した包囲部材５は、防水シート６を挟み込んで本体カバー３の嵌合凸枠３３に下端を嵌め込んで位置決めし、本体カバー３を本体ケース２に取り付ければ、その上端が電子ブザー４を嵌合して、これを包囲できる。
【００３７】
この包囲部材５を、電子ブザー４と本体カバー３の音孔３２との間に介装しているので、包囲部材５の内部には、電子ブザー４の音を共鳴させる共鳴空間部５１が形成されることとなる。
【００３８】
従って、電子ブザー４の音は、この共鳴空間部５１を介して防水シート６を共振させるので、電子ブザー４の音量を大きくできる。
【００３９】
また、包囲部材５は、本体カバー３に嵌合して着脱可能であるため、これを外して電子ブザー４を外被することが容易にできる。
【００４０】
一方、本実施例では、包囲部材５を本体カバー３の嵌合凸枠３３に嵌合させているが、この包囲部材５を電子ブザー４に嵌め込み、その上端を本体ベース２１に予め固着することもできる。
【００４１】
このように包囲部材５を予め本体ベース２１に固着すれば、嵌合凸枠３３を形成しなくても包囲部材５が位置決めできるので、その位置がズレることはない。
【００４２】
図２は、本発明に係る簡易設置型防犯センサの他の実施例の要部を示す部分拡大断面図である。なお、図１と共通する部位には共通の番号を付し、その説明は省略している。
【００４３】
この簡易設置型防犯センサＳは、本体カバー３の音孔３２の内面中央部に、本体ケース２側に突出する支持凸部３２ａを設けている。
【００４４】
この支持凸部３２ａは、縦断面を略円弧状に形成しており、この支持凸部３２ａに防水シート６を貼着している。
【００４５】
このように包囲部材５の下端開口に被せられ、包囲部材５と本体カバー３との間に挟み固定される防水シート６の中央部を、支持凸部３２ａによって持ち上げ支持する構造にしているので、防水シート６が弧状に撓んだ状態で挟み固定される。
【００４６】
そのため、防水シート６の張りを弛めることができ、電子ブザー４の音が音響空間部５１を介して防水シート６に伝わり易く、電子ブザー４の音量をより大きくできる。
【００４７】
なお、本実施例では、本体カバー３と、本体ケース２とが別体で成形したものを例示しているが、本体ケース２は、人体検知センサ、警報手段、制御回路を内蔵して、人体検知センサの窓孔部３１を形成した本体カバー３を一体化して組み合わせて構成したものであっても、その効果は同様である。
【００４８】
図３は、本発明に係る簡易設置型防犯センサの使用状態図である。
【００４９】
上述のように構成した簡易設置型防犯センサＳは、以下のように使用する。
【００５０】
まず、取付ベース１と、本体カバー３を固定した本体ケース２とを分離しておき、この取付ベース１を、軒下などの壁面或いは天面に木ネジで固定する。また、取付面がアルミサッシなどでは、両面テープで取付ベース１を貼着する。
【００５１】
このとき、取付ベース１の上下方向を表示部などで確認し、正しく固定する。
【００５２】
次いで、固定した取付ベース１に、本体カバー３を下方に向けて本体ケース２を嵌め込んで取付け、本体カバー３の操作スイッチを操作して人体検知センサを起動し、警戒モードにする。
【００５３】
そして、このセンサ範囲内に人が入ると、人体検知センサが検知し、警報手段である電子ブザー４が警報音を鳴動し、屋内への侵入を防犯するのである。
【００５４】
【発明の効果】
本発明によれば、次のような効果がある。
【００５５】
請求項１、２に係る簡易設置型防犯センサによれば、包囲部材を介装させているため、包囲部材内に共鳴空間部が形成され、ブザーの音量を大きくできる。
【００５６】
請求項３に係る簡易設置型防犯センサによれば、包囲部材を着脱可能にできると共に、本体カバーの嵌合凸枠に嵌り込んで位置ずれを防止できる。
【００５７】
請求項４に係る簡易設置型防犯センサによれば、本体ベースに包囲部材を固着するため、位置ズレが生じない。
【００５８】
請求項５に係る簡易設置型防犯センサによれば、支持凸部を設けることで、防水シートが弧状に撓んだ状態で挟み固定される。
【００５９】
そのため、防水シートの張りを弛めることができ、ブザーの音が伝わり易く、ブザーの音をより大きくできる。
【図面の簡単な説明】
【図  １】本発明に係る簡易設置型防犯センサの要部を示す部分拡大断面図
【図  ２】本発明に係る簡易設置型防犯センサの他の実施例の要部を示す部分拡大断面図
【図  ３】本発明に係る簡易設置型防犯センサの使用状態図
【図  ４】従来の簡易設置型防犯センサの要部を拡大した部分縦断面図
【符号の説明】
Ｓ      簡易設置型防犯センサ
１        取付ベース
２        本体ケース
３      本体カバー
３１    窓孔部
３２    音孔
３２ａ  支持凸部
３３    嵌合凸枠
４      電子ブザー
５      包囲部材
【図１】
0003595873.tif 000002
【図２】
0003595873.tif 000003
【図３】
0003595873.tif 000004
【図４】
0003595873.tif 000005